(57)【要約】【課題】調光制御対象の照明負荷を自動でフェードし長寿命化を図る。【解決手段】調光制御の対象である照明負荷毎に、使用履歴情報及び交換履歴情報を記憶し、使用履歴情報と交換履歴情報とに対応させて、照明負荷に対してどのようにフェード制御を行うべきかを示す制御手法情報を記憶する照明負荷に対する調光制御に際して、記憶を参照して対応の使用履歴情報または交換履歴情報を取得する。取得した履歴情報に対応する制御手法情報求めて制御手法情報に基づきフェード制御により所要の調光レベルを実現する。【選択図】図１
2008112588.tif 000002
【特許請求の範囲】
【請求項１】
調光制御の対象である照明負荷毎に、使用履歴情報及び交換履歴情報を記憶する履歴記憶手段と；
使用履歴情報と交換履歴情報とに対応させて、照明負荷に対してどのようにフェード制御を行うべきかを示す制御手法情報が記憶された制御手法記憶手段と；
照明負荷に対する調光制御に際して、履歴記憶手段を参照して対応の使用履歴情報または交換履歴情報を取得し、この履歴情報に対応する制御手法情報を制御手法記憶手段から取り出しフェード制御により所要の調光レベルを実現する制御を照明負荷に対して行う調光制御手段と；
調光制御手段により行われた制御に基づき履歴記憶手段の情報を更新する履歴更新手段と；
を具備することを特徴とする調光装置。
【請求項２】
制御手法情報記憶手段には、温度情報に対応して、複数パターンの制御手法情報が備えられており、
調光制御手段は、温度センサから得られる温度情報に対応するパターンの制御手法情報を制御手法情報記憶手段から選択して制御を行うことを特徴とする請求項１に記載の調光装置。
【請求項３】
制御手法記憶手段に対し、使用履歴情報と交換履歴情報とに対応させて制御手法情報を設定する制御手法管理手段を備えることを特徴とする請求項１または２に記載の調光装置。
【請求項４】
制御手法記憶手段における使用履歴情報として直前の調光レベルゼロと次の調光レベルとの差分レベル範囲情報が設定され、この差分レベル範囲情報における各範囲について次の調光レベルへ至るまでフェードを行う時間が設定されることを特徴とする請求項１乃至３のいずれかの項に記載の調光装置。
【請求項５】
照明負荷の識別情報に対応させて、フェード制御の可否情報が設定されたフェード制御可否記憶手段を備え、
調光制御手段は、フェード制御を行う場合にフェード制御可否記憶手段の情報に基づきフェード制御を実行或いは不実行することを特徴とする請求項１乃至４のいずれかの項に記載の調光装置。
【請求項６】
請求項１乃至５のいずれかの項に記載の調光装置により構成される調光操作卓と；
調光制御される照明負荷と；
調光操作卓から調光制御信号を受けて照明負荷に対応する調光電力を与えて調光制御を行う調光制御盤と；
を具備することを特徴とする調光システム。
【請求項７】
調光制御される照明負荷と；
照明負荷に対する調光制御の入力情報を受けて、対応する調光制御信号を送信する調光操作卓と；
請求項１乃至５のいずれかの項に記載の調光装置により構成される調光制御盤であって、調光操作卓から調光制御信号を受けて照明負荷に対応する調光電力を与えて調光制御を行う調光制御盤と；
を具備することを特徴とする調光システム。
【発明の詳細な説明】
【技術分野】
【０００１】
この発明は、照明負荷、特に急激な点灯による照明用電球の所謂球切れを防止することができる調光装置及び、この調光装置を用いて構成した調光システムに関するものである。
【背景技術】
【０００２】
従来の調光システムなどにおいては、所謂球切れ防止を含む観点から照明負荷のヒートアップ作業を含んだ「仕込み」と称される設定が予め行われている。この「仕込み」においては、消灯していた照明負荷を点灯させる場合には、予め低いレベルにおいて照明負荷を点灯させて、その後に目的のレベルにおいて点灯させるものである。
【０００３】
上記の「仕込み」に関しては、例えば、特許文献１に記載があり、予め設定した情報を読み出して調光制御が行われる。
【特許文献１】特開２０００−２１５８１号公報（００２４欄、００２５欄等）
【発明の開示】
【発明が解決しようとする課題】
【０００４】
しかしながら、従来の調光装置においては、「仕込み」の設定は全てマニュアル操作により行われるもので、各シーン毎にヒートアップを行う必要のある照明負荷を特定し、設定を行う必要があり、作業が煩わしく、また設定ミスが生じる可能性があった。
【０００５】
更に、スタジオ収録や舞台進行は、必ずしも時刻通りに行われるとは限らず、進行状況に合わせてヒートアップ作業を行う必要がある場合も多い。このような場合には、臨機応変に行うことが求められ、熟練や勘を要するもので、自動化されることが望まれている状況にある。
【０００６】
本発明は上記のように「仕込み」の設定は全てマニュアル操作であるという現状と、ヒートアップ作業の自動化という要望に基づきなされたもので、その目的は、照明負荷の使用履歴等に基づき自動的にヒートアップ処理が行われ、煩わしマニュアル操作が不要である調光装置及び調光システムを提供することである。また、ヒートアップ処理における子細をオペレータが設定でき、ユーザの希望に応じて必要なヒートアップ処理を実行することができる調光装置及び調光システムを提供することを目的とする。
【課題を解決するための手段】
【０００７】
本発明に係る調光装置は、調光制御の対象である照明負荷毎に、使用履歴情報及び交換履歴情報を記憶する履歴記憶手段と；使用履歴情報と交換履歴情報とに対応させて、照明負荷に対してどのようにフェード制御を行うべきかを示す制御手法情報が記憶された制御手法記憶手段と；照明負荷に対する調光制御に際して、履歴記憶手段を参照して対応の使用履歴情報または交換履歴情報を取得し、この履歴情報に対応する制御手法情報を制御手法記憶手段から取り出しフェード制御により所要の調光レベルを実現する制御を照明負荷に対して行う調光制御手段と；調光制御手段により行われた制御に基づき履歴記憶手段の情報を更新する履歴更新手段と；を具備することを特徴とする。
【０００８】
照明負荷としては、電球型、蛍光灯型を含む。照明負荷には、調光制御しないノンディム（ＮＯＮＤＩＭ）のものが含まれる場合にフェード制御を不実行とする。使用履歴情報は、現状の調光レベルや現状が消灯状態である場合には消灯の継続時間などが含まれ、また、照明負荷の調光制御を設定する調光操作卓が起動後に初めて照明負荷が点灯されることを示す情報も含まれる。交換履歴情報は、交換してから消灯状態である場合における消灯の継続時間などが含まれる。履歴記憶手段の使用履歴情報または交換履歴情報、この履歴情報に対応する制御手法記憶手段の制御手法情報を用いたフェード制御は、「仕込み」における調光制御に好適であるが、特にこれに限定されるものではない。
【０００９】
本発明に係る調光装置は、制御手法情報記憶手段には、温度情報に対応して、複数パターンの制御手法情報が備えられており、調光制御手段は、温度センサから得られる温度情報に対応するパターンの制御手法情報を制御手法情報記憶手段から選択して制御を行うことを特徴とする。
【００１０】
本発明に係る調光装置は、制御手法記憶手段に対し、使用履歴情報と交換履歴情報とに対応させて制御手法情報を設定する制御手法管理手段を備えることを特徴とする。
【００１１】
本発明に係る調光装置は、制御手法記憶手段における使用履歴情報として直前の調光レベルゼロと次の調光レベルとの差分レベル範囲情報が設定され、この差分レベル範囲情報における各範囲について次の調光レベルへ至るまでフェードを行う時間が設定されることを特徴とする。
【００１２】
本発明に係る調光装置は、照明負荷の識別情報に対応させて、フェード制御の可否情報が設定されたフェード制御可否記憶手段を備え、調光制御手段は、フェード制御を行う場合にフェード制御可否記憶手段の情報に基づきフェード制御を実行或いは不実行することを特徴とする。
【００１３】
本発明に係る調光システムは、請求項１乃至５のいずれかの項に記載の調光装置により構成される調光操作卓と；調光制御される照明負荷と；調光操作卓から調光制御信号を受けて照明負荷に対応する調光電力を与えて調光制御を行う調光制御盤と；を具備することを特徴とする。
【００１４】
本発明に係る調光システムは、調光制御される照明負荷と；照明負荷に対する調光制御の入力情報を受けて、対応する調光制御信号を送信する調光操作卓と；請求項１乃至５のいずれかの項に記載の調光装置により構成される調光制御盤であって、調光操作卓から調光制御信号を受けて照明負荷に対応する調光電力を与えて調光制御を行う調光制御盤と；を具備することを特徴とする。
【発明の効果】
【００１５】
本発明に係る調光装置では、照明負荷に対する調光制御に際して、履歴記憶手段を参照して対応の使用履歴情報または交換履歴情報を取得し、この履歴情報に対応する制御手法情報を制御手法記憶手段から取り出しフェード制御により所要の調光レベルを実現する制御を照明負荷に対して行うので、照明負荷の使用履歴情報または交換履歴情報に応じたフェードにより適切なヒートアップ処理が行われ、照明負荷の長寿命化を図ることができる効果がある。
【００１６】
本発明に係る調光装置は、制御手法情報記憶手段には、温度情報に対応して、複数パターンの制御手法情報が備えられ、調光制御手段は、温度センサから得られる温度情報に対応するパターンの制御手法情報を選択して制御ので、温度に応じた最適なフェード制御が可能なパターンの制御手法情報を選択して、これに基づくフェード制御がなされるので、温度の低いときにはフェード時間を長くしてフェードを行うことにより照明負荷の長寿命化を図り得ると共に、温度が高いときにはフェード時間を短くしてフェードを行うことにより無駄な時間をかけることなく所要の調光レベルを実現できる効果がある。
【００１７】
本発明に係る調光装置では、使用履歴情報と交換履歴情報とに対応させて制御手法情報を設定する制御手法管理手段を備えるので、ヒートアップ処理における子細をオペレータが設定できる効果がある。
【００１８】
本発明に係る調光装置では、制御手法記憶手段における使用履歴情報として直前の調光レベルゼロと次の調光レベルとの差分レベル範囲情報が設定され、この差分レベル範囲情報における各範囲について次の調光レベルへ至るまでフェードを行う時間が設定されるので、調光レベルの上昇程度に応じて差分レベル範囲についてフェードを行う時間が設定され、上昇程度に適合したフェード時間を確保できる効果がある。
【００１９】
本発明に係る調光装置では、照明負荷の識別情報に対応させて、フェード制御の可否情報が設定されたフェード制御可否が記憶され、フェード制御を行う場合に記憶された情報に基づきフェード制御を実行或いは不実行するので、調光すべきでないノンディム（ＮＯＮＤＩＭ）の照明負荷に対してフェード制御が行われる故障などが発生する事態を防止できる。
【００２０】
本発明に係る調光システムでは、請求項１乃至４のいずれかの項に記載の調光装置により構成される調光操作卓を備えるので、調光操作卓において適切なヒートアップ処理が行われる効果がある。
【００２１】
本発明に係る調光システムでは、請求項１乃至４のいずれかの項に記載の調光装置により構成される調光制御盤を備えるので、調光制御盤において適切なヒートアップ処理が行われる効果がある。
【発明を実施するための最良の形態】
【００２２】
＜実施例１＞
以下添付図面を参照して、本発明の実施例に係る調光装置及びこれを用いた調光システムを説明する。各図において、同一の構成要素には同一の符号を付して重複する説明を省略する。図１には、本発明の実施例に係る調光装置により調光操作卓１０を構成した調光システムが示されている。調光操作卓１０は、ライン３１を介して調光制御盤３０に接続されており、調光制御盤３０には複数の照明負荷３２−１、３２−２・・・３２−ｎが接続されている。
【００２３】
調光操作卓１０からは調光制御盤３０に対し、照明負荷３２−１、３２−２・・・３２−ｎの調光制御信号が送られる。調光制御盤３０には照明負荷３２−１、３２−２・・・３２−ｎを点灯させる電力が与えられており、調光制御盤３０は到来する調光制御信号に応じて変調した電力を照明負荷３２−１、３２−２・・・３２−ｎへ与えて調光制御を行う。なお、調光操作卓１０に対して複数の調光制御盤３０を接続することを可能に構成しても良い。調光制御盤３０は必要に応じて照明負荷３２−１、３２−２・・・３２−ｎに関する調光制御の結果情報を返送する。
【００２４】
調光操作卓１０には、ＣＰＵ（中央処理装置）及びメモリを含んで構成される制御部１１が備えられ、制御部１１には、ＣＲＴやＬＣＤなどの表示部１２、キーボード等の操作部１３、送受信部１４が接続されている。送受信部１４は調光制御信号の送信や調光制御結果の受信などを行う。
【００２５】
制御部１１には、照明負荷３２−１、３２−２・・・３２−ｎに関する調光制御に係る「仕込み」の情報が記憶される仕込情報記憶手段２１が備えられている。仕込情報記憶手段２１に記憶された情報の一例を図２に示す。図２においては、簡単のため、照明負荷３２−１、３２−２、３２−ｎのみに関し、調光開始時からシーン３までの情報を示している。数字とパーセント％により調光レベルが示され、時間は各シーンの継続時間である３分、５分、１２分を示している。この仕込情報記憶手段２１の情報は、予め操作部１３から表示部１２を見ながらの操作などで入力され、記憶される。この図２の情報は、一つの演目などに対応したものであるが、通常は仕込情報記憶手段２１に複数の演目等に対応する情報が記憶されており、この中の一つを操作部１３の操作により選択可能である。
【００２６】
制御部１１には、履歴記憶手段２２、制御手法記憶手段２３、調光制御手段２４、履歴更新手段２５、制御手法管理手段２６、フェード制御可否記憶手段２７、調光信号作成部２８が備えられている。
【００２７】
履歴記憶手段２２は、照明負荷３２−１、３２−２・・・３２−ｎ毎に、使用履歴情報及び交換履歴情報を記憶するものである。図３に示すように、使用履歴情報は、照明負荷３２−１、３２−２・・・３２−ｎ毎に、現時点までの調光レベルと当該調光レベルが継続されている。交換履歴情報は、図３に示すように交換履歴フラグが１にセットされている場合に(照明負荷３２−１において)、当該照明負荷が交換されて未使用状態であることを示す。
【００２８】
履歴更新手段２５は、制御部１１からの調光制御により、或いは調光制御盤３０から返送される結果情報に応じて使用履歴情報の更新を行う。交換履歴情報については、例えば操作部１３からの交換を示す入力を受けて履歴更新手段２５がフラグをセットし、制御部１１からの調光制御により、或いは調光制御盤３０から返送される結果情報に応じてフラグをリセットする。
【００２９】
制御手法記憶手段２３には、使用履歴情報と交換履歴情報とに対応させて、照明負荷に対してどのようにフェード制御を行うべきかを示す制御手法情報が記憶されている。この制御手法記憶手段２３には図４に示すように、使用履歴情報として直前の調光レベルゼロと次の調光レベルとの差分レベル範囲情報１００〜７０（％）などが設定され、この差分レベル範囲情報における各範囲について次の調光レベルへ至るまでフェードを行う時間（秒）が設定される。また、交換フラグがセットされているときには、次の調光レベルに拘らず８秒をかけて該当の調光レベルへフェード制御することを示す。
【００３０】
制御手法管理手段２６は、制御手法記憶手段２３に対し、使用履歴情報と交換履歴情報とに対応させて制御手法情報を設定するものである。例えば、操作部１３に制御手法設定キーを備え、この制御手法設定キーの操作に応じて図４に示される制御手法記憶手段２３の情報が表示部１２へ表示される。表示された制御手法記憶手段２３の情報の内、数字により示された情報はカーソルキーによりカーソル移動を行って、変更できる。変更後に、確定（ＯＫ）キーの操作により表示部１２に表示された情報が制御手法記憶手段２３に記憶される。
【００３１】
フェード制御可否記憶手段２７は、照明負荷の識別情報に対応させて、フェード制御の可否情報が設定されるものである。フェード制御可否記憶手段２７に記憶されている情報は、例えば、図５に示すように調光すべきでないノンディム（ＮＯＮＤＩＭ）の照明負荷の識別情報（ここでは、３２−ｉ）に対応してフェード制御不可を設定している。調光制御手段２４は、フェード制御を行う場合にフェード制御可否記憶手段２７の情報に基づきフェード制御を実行或いは不実行する。ノンディム（ＮＯＮＤＩＭ）の照明負荷の識別情報は、操作部１３からキー操作によりフェード制御可否記憶手段２７へ設定される。
【００３２】
調光制御手段２４は、操作部１３から所要の照明負荷に対する調光指示を受けて、指示された調光レベル情報と指示された照明負荷のアドレスを作成し、調光信号作成部２８へ送出する。操作部１３から仕込情報記憶手段２１の情報を指示することもでき、この場合には調光制御手段２４は、仕込情報記憶手段２１の情報に応じて調光レベル情報と指示された照明負荷のアドレスを作成し、調光信号作成部２８へ送出する。
【００３３】
調光制御手段２４は、上記のような照明負荷に対する調光制御に際して、履歴記憶手段２２を参照して対応の使用履歴情報または交換履歴情報を取得し、この履歴情報に対応する制御手法情報を制御手法記憶手段２３から取り出しフェード制御により所要の調光レベルを実現する制御を照明負荷に対して行う。調光制御手段２４による当該フェード制御の実行・不実行については、操作部１３に当該フェード制御の実行・不実行キーを設け、切り換え可能とする。
【００３４】
以上のように構成された調光システムにおいては、調光操作卓１０の制御部１１が図６に示されるフローチャートに基づき処理を行うので、このフローチャートに基づき動作説明を行う。制御部１１は、調光指示の入力が到来したのかを検出する（Ｓ１１）。例えば、操作部１３から仕込情報記憶手段２１に記憶された図２の情報の選択指示があった場合などには、ステップＳ１１においてＹＥＳへ分岐し、フェード制御の実行・不実行キーが「実行」に設定されているかを検出する（Ｓ１２）。
【００３５】
フェード制御の実行・不実行キーが「不実行」に設定されている場合には、ステップＳ１２においてＹＥＳへ分岐し、所望の照明負荷に対する調光レベルと照明負荷のアドレスの情報を例えばメモリテーブルから得て調光信号作成部２８により調光信号を作成して送受信部１４から送出する（Ｓ１３）。これによりフェード制御を伴わない通常の調光制御がなされる。
【００３６】
一方、ステップＳ１２においてＮＯへ分岐した場合には、調光制御すべき照明負荷を特定して履歴情報を検出する（Ｓ１４）。例えば、図２に示す仕込情報記憶手段２１の情報におけるシーン１では、照明負荷３２−２が調光レベル５０％へ調光されるから、照明負荷３２−２について図３に示す使用履歴情報と交換履歴情報を参照すると、現在より３０分前の間において調光レベルが０％であったことが検出される。
【００３７】
ステップＳ１４に続いて上記履歴情報に基づき、図４に示す制御手法記憶手段２３を検索して制御手法情報を取り出すと共に、図５に示すフェード制御可否記憶手段２７の情報に基づき当該照明負荷についてのフェード可否を検出する（Ｓ１５）。例えば、図２に示す仕込情報記憶手段２１の情報におけるシーン１では、照明負荷３２−２が調光レベル０％から５０％へ調光されるので、図４に示す制御手法記憶手段２３から６秒が検出され、図５に示すフェード制御可否記憶手段２７からはフェード可が検出される。
【００３８】
ステップＳ１４の次に、フェード制御を行うかを検出する（Ｓ１６）。ここで、ＮＯへ分岐するとステップＳ１３へ進み、フェード制御を伴わない通常の調光制御がなされる。これに対し、上記照明負荷３２−２の例では、ステップＳ１６ではＹＥＳへ分岐することとなり、制御手法情報に対応するフェード時間と調光レベルとの情報を作成し、調光信号作成部２８によりこれに対応する調光信号を作成して送受信部１４から送出する（Ｓ１７）。ステップＳ１７を終了すると、ステップＳ１１へ戻って処理が続けられる。
【００３９】
なお、上記の制御手法記憶手段２３の情報は、全ての照明負荷に共通な情報としたが、負荷毎に情報を設定するようにしても良く、また、複数の照明負荷に関し一部を共通な情報としても良い。また、フェード制御を行う際の判定レベルとして、過去のレベル０％である場合を示したが、所定レベルまでは消灯として制御するようにし、この所定レベルを操作部１３から設定可能としても良い。
【００４０】
＜実施例２＞
第２の実施例では、制御手法記憶手段２３には、温度情報に対応して、複数パターンの制御手法情報が備えられる構成を採用する。ここで、複数のパターンとは、例えば、５度未満、５度以上１５度未満、１５度以上２５度未満、２５度以上のように温度幅に対応して、図４に示した制御手法記憶手段２３の制御手法情報をそれぞれ１パターンづつ用意する。或いは、個々のまたは幾つかのグループの照明負荷に対応させて、上記のような温度幅において各１パターンづつ制御手法情報を用意する。各パターンに係る制御手法情報は、温度の低いときにはフェード時間を長く設定され、温度が高いときにはフェード時間を短く設定されている。
【００４１】
調光制御手段２４は、温度センサから得られる温度情報に対応するパターンの制御手法情報を制御手法記憶手段２３から選択して制御を行う。温度センサは、可能な限り照明負荷の近くに設けることが望ましい。また、温度センサを設ける照明負荷は、温度変化により（特に低温時に）所謂球切れを生じ易い照明負荷とすることが好適である。更に、個々のまたは幾つかのグループの照明負荷に対応させて、温度幅において各１パターンづつ制御手法情報を用意する場合には、個々の照明負荷毎に、或いはグループの照明負荷に対応させて温度センサを設ける。
【００４２】
そして、温度センサからの温度信号は、可能であれば調光制御信号を送信するラインにより調光操作卓１0へ返送し、または、調光制御信号を送信するラインとは別ラインにより調光操作卓１0へ送る。
【００４３】
調光制御手段２４は、図６に示すフローチャートに基づき動作するが、ステップＳ１５の処理前に、温度情報に基づき対応するパターンの制御手法情報を制御手法記憶手段２３から選択する。これ以降は、図６のフローチャートを用いて説明した如くの動作が行われる。斯して、本実施例によれば、照明負荷の長寿命化を図り得ると共に、無駄なフェード時間をかけることなく所要の調光レベルを実現できる。本実施例の制御手法記憶手段２３に対しても、制御手法管理手段２６によって温度情報対応に、使用履歴情報と交換履歴情報とに対応させて制御手法情報を設定するものである。
【００４４】
＜実施例３＞
図７には、調光システムの変形例が示されている。この調光システムは、図１の調光システムにおいて、調光操作卓１０に可搬型調光操作卓４０を接続したものである。可搬型調光操作卓４０には、表示部４１、操作部４２、制御部４３、調光信号作成部４４、送受信部４５を有し、調光操作卓１０のインタフェース１５に接続される。調光操作卓１０に備えられる所謂球切れ防止のためのフェード制御機能は備えられていない。
【００４５】
操作部４２の操作を受けて制御部４３が調光レベルと照明負荷のアドレス情報を作成し、調光信号作成部４４により信号化して送受信部４５を介して送信する。調光操作卓１０の制御部１１は信号をインタフェース１５を介して受け取る。調光操作卓１０の構成は図１のものと同一であるが、表示を省略してある。制御部１１はインタフェース１５から到来した信号を調光レベルと照明負荷のアドレス情報として、図６により説明した処理により所要の場合にフェード制御を行う。
【００４６】
この調光システムによれば、可搬型調光操作卓４０からの調光制御について、調光操作卓１０によるフェード制御が行われ、フェード制御機能を持たない可搬型調光操作卓４０からフェード制御を行うことが可能である。本実施例においても、第２の実施例に用いた温度情報対応に複数パターンの制御手法情報を記憶した制御手法記憶手段２３を用いることも可能である。
【００４７】
＜実施例４＞
図８は、調光制御盤５０に、フェード制御機能等を備えさせた調光システムである。調光制御盤５０では、送受信部５１を介して調光レベルと照明負荷のアドレスを含む調光制御信号を受け取る。調光制御盤５０には、図１の調光操作卓１０に備えられた制御部１１等の構成が備えられ、制御部１１は、到来した信号を調光レベルと照明負荷のアドレス情報として、図６により説明した処理により所要の場合にフェード制御を行う。また、制御部１１は、仕込情報記憶手段２１に記憶された情報による調光制御を行うことも可能に構成されている。
【００４８】
調光制御盤５０には、所謂球切れ防止のためのフェード制御機能は備えていない調光操作卓６０、可搬型調光操作卓４０が接続される。調光レベルと照明負荷のアドレス情報として、図６により説明した処理により所要の場合にフェード制御を行い、制御情報を調光器５２−１〜５２−ｎの対応する調光器アドレスを付加して送出する。調光器は、対応の照明負荷に対し所謂球切れ防止のためのフェード制御を含む調光制御を行う。
【００４９】
この調光システムによれば、調光制御盤５０によるフェード制御が行われ、フェード制御機能を持たない可搬型調光操作卓４０及び調光操作卓６０からフェード制御を行うことが可能である。本実施例においても、第２の実施例に用いた温度情報対応に複数パターンの制御手法情報を記憶した制御手法記憶手段２３を用いることも可能である。
【図面の簡単な説明】
【００５０】
【図１】本発明の実施例に係る調光装置により調光操作卓を構成した調光システムを示すブロック図。
【図２】本発明の実施例に係る調光装置である調光操作卓に採用される仕込情報記憶手段に記憶された情報の一例を示す図。
【図３】本発明の実施例に係る調光装置である調光操作卓に採用される履歴記憶手段に記憶された情報の一例を示す図。
【図４】本発明の実施例に係る調光装置である調光操作卓に採用される制御手法記憶手段に記憶された情報の一例を示す図。
【図５】本発明の実施例に係る調光装置である調光操作卓に採用されるフェード制御可否記憶手段に記憶された情報の一例を示す図。
【図６】本発明の実施例に係る調光装置により構成された調光操作卓の動作を説明するためのフローチャート。
【図７】本発明の実施例に係る調光装置により調光操作卓を構成した調光システムの変形例を示すブロック図。
【図８】本発明の実施例に係る調光装置により調光制御盤を構成した調光システムを示すブロック図。
【符号の説明】
【００５１】
１０、６０  調光操作卓
１１  制御部
１２１、４１  表示部
１３、４２  操作部
１４、４５  送受信部
１５  インタフェース
２１  仕込情報記憶手段
２２  履歴記憶手段
２３  制御手法記憶手段
２４  調光制御手段
２５  履歴更新手段
２６  制御手法管理手段
２７  フェード制御可否記憶手段
２８、４４  調光信号作成部
３０、５０  調光制御盤
３１  ライン
３２−１〜３２−ｎ  照明負荷
４０  可搬型調光操作卓
５２−１〜５２−ｎ  照明負荷
【図１】
2008112588.tif 000003
【図２】
2008112588.tif 000004
【図３】
2008112588.tif 000005
【図４】
2008112588.tif 000006
【図５】
2008112588.tif 000007
【図６】
2008112588.tif 000008
【図７】
2008112588.tif 000009
【図８】
2008112588.tif 000010